(57)【特許請求の範囲】
【請求項１】
ダウンリンク制御チャネルのリソースブロックを形成し、異なる移動端末に割り当て可能な複数の分割リソースブロックのそれぞれと、各分割リソースブロックの復調に使用される復調参照信号の識別子としてそれぞれ使用される複数のアンテナポートとの関連づけ方法であって、
或る移動端末に１つの分割リソースブロックを割り当てる場合の関連づけ方法としての以下の（ａ）〜（ｃ）によって得られる前記分割リソースブロックと前記アンテナポートとの関連を記憶する記憶部と、
（ａ）相互に異なる複数のアンテナポートを、それぞれ二以上のアンテナポートを含む第１セットと第２セットに分け、
（ｂ）第１のリソースブロックを形成する、所定順序を有する複数の分割リソースブロックの中で連続する二つの分割リソースブロックのそれぞれを、前記第１セットに属する二以上のアンテナポート中の異なるアンテナポートに関連づけ、
（ｃ）第１のリソースブロックと多重される第２のリソースブロックを形成する、所定順序を有する複数の分割リソースブロックの中で連続する二つの分割リソースブロックのそれぞれを、前記第２セットに属する二以上のアンテナポート中の異なるアンテナポートに関連づける、
複数の移動端末のそれぞれに対して１つの分割データブロックを割り当てる場合に、前記記憶部を参照して、前記第１のリソースブロック及び前記第２のリソースブロックに含まれる複数の分割リソースブロックの中から各移動端末に割り当てる１つの分割データブロックを、アンテナポートが重複しないように選択し、選択した分割データブロックに関連するアンテナポートが属する前記第１セット及び前記第２セットの一方を示す情報を前記複数の移動端末のそれぞれに通知する処理を行う制御装置と、
を含み、
前記第１のリソースブロックと前記第２のリソースブロックとのそれぞれは、連続する第１分割リソースブロック及び第２分割リソースブロックを含み、
前記記憶部は、前記第１分割リソースブロックと前記第１セットに属する二以上のアンテナポート中の第１アンテナポートとの関連づけ、前記第２分割リソースブロックと前記第１セットに属する二以上のアンテナポート中の第２アンテナポートとの関連づけ、及び前記第１分割リソースブロックと前記第２セットに属する二以上のアンテナポート中の第
３アンテナポートとの関連づけを記憶し、
前記制御装置は、第１の移動端末について前記第１アンテナポートを選択して前記第１の移動端末に前記第１分割リソースブロックを割り当て、第２の移動端末について前記第３アンテナポートを選択して前記第２の移動端末に前記第１分割リソースブロックを割り当てるとともに、第３の移動端末について前記第２アンテナポートを選択して前記第３の移動端末に前記第２分割リソースブロックを割り当てる
基地局。
【請求項２】
前記記憶部は、或る移動端末に２つの分割リソースブロックを割り当てる場合の関連づけ方法として、以下の（i）及び（ii）によって得られる前記分割リソースブロックと前
記アンテナポートとの関連を記憶し、
（i）前記第１のリソースブロック中の連続する二つの分割リソースブロックを前記第
１セットに属する１つのアンテナポートに関連づけ、
（ii）前記第２のリソースブロック中の連続する二つの分割リソースブロックを前記第２セットに属する１つのアンテナポートに関連づける、
前記制御装置は、前記複数の移動端末のうちの少なくとも１つに２つの分割データブロックを割り当てる場合に、前記第１のリソースブロック及び前記第２のリソースブロックに含まれる複数の分割リソースブロックから１つのアンテナポートと関連づけられた連続する二つの分割リソースブロックを選択し、選択した分割リソースブロックと関連する１つのアンテナポートが属する前記第１セット及び前記第２セットの一方を示す情報を、前記少なくとも１つの移動端末に通知する処理を行う
請求項１に記載の基地局。
【請求項３】
ダウンリンク制御チャネルのリソースブロックを形成し、異なる移動端末に割り当て可能な複数の分割リソースブロックのそれぞれと、各分割リソースブロックの復調に使用される復調参照信号の識別子としてそれぞれ使用される複数のアンテナポートとの関連づけ方法であって、或る移動端末に１つの分割リソースブロックを割り当てる場合の関連づけ方法であって、
基地局が以下の（ａ）〜（ｃ）によって得られる前記分割リソースブロックと前記アンテナポートとの関連を記憶し、
（ａ）相互に異なる複数のアンテナポートを、それぞれ二以上のアンテナポートを含む第１セットと第２セットに分け、
（ｂ）第１のリソースブロックを形成する、所定順序を有する複数の分割リソースブロックの中で連続する二つの分割リソースブロックのそれぞれを、前記第１セットに属する二以上のアンテナポート中の異なるアンテナポートに関連づけ、
（ｃ）第１のリソースブロックと多重される第２のリソースブロックを形成する、所定順序を有する複数の分割リソースブロックの中で連続する二つの分割リソースブロックのそれぞれを、前記第２セットに属する二以上のアンテナポート中の異なるアンテナポートに関連づける、
複数の移動端末のそれぞれに対して１つの分割データブロックを割り当てる場合に、前記記憶した関連を参照して、前記第１のリソースブロック及び前記第２のリソースブロックに含まれる複数の分割リソースブロックの中から各移動端末に割り当てる１つの分割データブロックを、アンテナポートが重複しないように選択し、選択した分割データブロックに関連するアンテナポートが属する前記第１セット及び前記第２セットの一方を示す情報を前記複数の移動端末のそれぞれに通知する処理を行い、
前記第１のリソースブロックと前記第２のリソースブロックとのそれぞれは、連続する第１分割リソースブロック及び第２分割リソースブロックを含み、
前記関連の記憶において、前記第１分割リソースブロックと前記第１セットに属する二以上のアンテナポート中の第１アンテナポートとの関連づけ、前記第２分割リソースブロックと前記第１セットに属する二以上のアンテナポート中の第２アンテナポートとの関連
づけ、及び前記第１分割リソースブロックと前記第２セットに属する二以上のアンテナポート中の第３アンテナポートとの関連づけを記憶し、
前記処理において、第１の移動端末について前記第１アンテナポートを選択して前記第１の移動端末に前記第１分割リソースブロックを割り当て、第２の移動端末について前記第３アンテナポートを選択して前記第２の移動端末に前記第１分割リソースブロックを割り当てるとともに、第３の移動端末について前記第２アンテナポートを選択して前記第３の移動端末に前記第２分割リソースブロックを割り当てる
基地局のアンテナポート通知方法。
【発明の詳細な説明】
【技術分野】
【０００１】
本開示は、基地局に関する。
【背景技術】
【０００２】
無線通信規格の標準化団体の一つである３ＧＰＰ（3rd Generation Partnership Project）は、無線通信規格の一つであるＬＴＥ（Long Term Evolution：LTE Release 8/9）のアップデート版として、ＬＴＥ-Ａｄｖａｎｃｅｄ（ＬＴＥ-Ａ）の標準化を進めている。ＬＴＥ-Ａは、３ＧＰＰからリリースされたLTE Release 10以降を指し、現在、LTE Release 11の仕様の標準化が検討されている。【０００３】
LTE Release 11では、拡張型ダウンリンク制御チャネル(enhanced PDCCH:ＥＰＤＣＣＨ)が検討されている。ＥＰＤＣＣＨは、ＬＴＥ（Release 8/9）のダウンリンク制御チャネル（Physical Downlink Control Channel:ＰＤＣＣＨ）の改良版である。ＥＰＤＣＣＨの検討は、ＰＤＣＣＨの容量拡張と干渉回避を目的として行われている。【０００４】
ＰＤＣＣＨは、ダウンリンク制御情報（Downlink Control Information:ＤＣＩ）を移動端末（User Equipment:ＵＥ）へ送信するための制御チャネルである。ＰＤＣＣＨは、例えば、アップリンクデータチャネル（Physical Uplink Shared CHannel：ＰＵＳＣＨ）送信のためのリソースを許可する、或いは、ダウンリンクデータチャネル（Physical Downlink Shared CHannel：ＰＤＳＣＨ）上に発生するダウンリンク送信に係るＵＥ情報を示すために使用される。
【先行技術文献】
【非特許文献】
【０００５】
【非特許文献１】3GPP R1-121474, NTT DOCOMO, "DM-RS Antenna Port Association for ＥＰＤＣＣＨ in Rel-11," Mar. 2012.
【非特許文献２】3GPP R1-120996, Huawei, HiSilicon, "Antenna port association for ＥＰＤＣＣＨ," Mar. 2012.
【非特許文献３】3GPP R1-123290, Panasonic , "Association between DMRS ports and ｅＰＤＣＣＨ, " Aug. 2012
【発明の概要】
【発明が解決しようとする課題】
【０００６】
ＬＴＥ−Ａでは、ＥＰＤＣＣＨを復調するために、パイロット信号の一種である復調参照信号（DeModulation Reference Signal:ＤＭ-ＲＳ）が使用される。ＥＰＤＣＣＨの復調にあたり、移動端末が複数種類のＤＭ−ＲＳの中から復調に用いるＤＭ−ＲＳを特定するために、アンテナポート（Antenna Port:ＡＰ）と呼ばれる概念が使用される。通常、複数のＡＰが用意され、各ＡＰは複数種類のＤＭ−ＲＳの１つと関連づけられる。移動端末は、ＡＰを知ることによって復調に用いるＤＭ−ＲＳを特定することができる。【０００７】
Release 11に係る会議（３ＧＰＰ  ＲＡＮ１会議）では、ＡＰとＤＭ−ＲＳとの関連づけ方法であるＡＰアソシエーション方法に係る検討が行われている。ＡＰとＥＥＣＥとの関連づけ方法や、ＡＰをＵＥに知らせる方法が異なる、幾つかのＡＰアソシエーション方法が提案されている。
本開示は、制御チャネルのリソースを効率的に複数の移動端末に対して割り当てることのできる技術を提供することを目的とする。
【課題を解決するための手段】
【０００８】
本発明の実施例は、基地局であって以下を含む。すなわち、ダウンリンク制御チャネルのリソースブロックを形成し、異なる移動端末に割り当て可能な複数の分割リソースブロックのそれぞれと、各分割リソースブロックの復調に使用される復調参照信号の識別子としてそれぞれ使用される複数のアンテナポートとの関連づけ方法であって、或る移動端末に１つの分割リソースブロックを割り当てる場合の関連づけ方法としての以下の（ａ）〜（ｃ）によって得られる前記分割リソースブロックと前記アンテナポートとの関連を記憶する記憶部と、
（ａ）相互に異なる複数のアンテナポートを、それぞれ二以上のアンテナポートを含む第１セットと第２セットに分け、
（ｂ）第１リソースブロックを形成する、所定順序を有する複数の分割リソースブロックの中で連続する二つの分割リソースブロックのそれぞれを、前記第１セットに属する二以上のアンテナポート中の異なるアンテナポートに関連づけ、
（ｃ）第１のリソースブロックと多重される第２のリソースブロックを形成する、所定順序を有する複数の分割リソースブロックの中で連続する二つの分割リソースブロックのそれぞれを、前記第２セットに属する二以上のアンテナポート中の異なるアンテナポートに関連づける、
複数の移動端末のそれぞれに対して１つの分割データブロックを割り当てる場合に、前記記憶部を参照して、前記第１のリソースブロック及び前記第２のリソースブロックに含まれる複数の分割リソースブロックの中から各移動端末に割り当てる１つの分割データブロックを、アンテナポートが重複しないように選択し、選択した分割データブロックに関連するアンテナポートが属する前記第１セット及び前記第２セットの一方を示す情報を前記複数の移動端末のそれぞれに通知する処理を行う制御装置と、を含む。
【発明の効果】
【０００９】
本開示によれば、制御チャネルのリソースを効率的に複数の移動端末に対して割り当てることができる。
【図面の簡単な説明】
【００１０】
【図１】図１は、ダウンリンクにおけるＬＴＥ−Ａのフレームフォーマットを示し、ＥＰＤＣＣＨのローカライズ型（Localized）送信方法に係るフォーマットを示す。
【図２】図２は、ダウンリンクにおけるＬＴＥ-Ａのフレームフォーマットを示し、ＥＰＤＣＣＨの分散型（Distributed）送信方法に係るフォーマットを示す。
【図３】図３は、明示的シグナリング（明示的通知方法）におけるＡＰアソシエーションの例を示す。
【図４】図４は、暗示的シグナリングの例を示す。
【図５】図５は、ハイブリッドシグナリングの説明図である。
【図６】図６は、拡張ＣＰ適用ケースの例を示す。
【図７】図７は、ハイブリッドシグナリングの問題点を説明する図である。
【図８】図８は、実施形態に係るＡＰアソシエーション方法の説明図である。
【図９】図９は、本実施形態に係るＡＰアソシエーション方法の作用効果を例示する図である。
【図１０】図１０は、実施形態に係る方法を使用する基地局の構成例を示す図である。
【図１１】図１１は、アソシエーションテーブルのデータ構造例を示す。
【図１２】図１２は、実施形態に適用される移動端末（ＵＥ）の構成例を示す図である。
【発明を実施するための形態】
【００１１】
以下、図面を参照して本発明の実施形態について説明する。実施形態の構成は例示であり、本発明は実施形態の構成に限定されない。
【００１２】
最初に、ＥＰＤＣＣＨの概要について説明する。図１及び図２は、ダウンリンクにおけるＬＴＥ−Ａのフレームフォーマットを示す。図１は、ＥＰＤＣＣＨのローカライズ型（Localized）送信方法に係るフォーマットを示し、図２は、ＥＰＤＣＣＨの分散型（distributed）送信方法に係るフォーマットを示す。
【００１３】
時間領域の無線リソースであるサブフレームに対するＥＰＤＣＣＨの符号化ビットの配置方法（マッピング方法）として、ローカライズ型（Localized）マッピングと、分散型（distributed）マッピングとがサポートされている。マッピング方法の相違に応じて、ＥＰＤＣＣＨの送信方法は、ローカライズ型（Localized）送信方法と、分散型（distributed）送信方法とに分類される。
【００１４】
図１及び図２において、フレームは、ＰＤＣＣＨがマッピングされるＰＤＣＣＨ領域と、データ信号がマッピングされるデータ領域とを含む。ＥＰＤＣＣＨは、データ領域において、ＰＤＳＣＨ（Physical Downlink Shared CHannel）と、物理リソースブロックペア（Physical Resource Block pair:ＰＲＢ pair）単位で周波数多重される。１ＰＲＢペアは、１２サブキャリアからなる。
【００１５】
図１に示すローカライズ型では、連続するＰＲＢペアが、ＥＰＤＣＣＨを送信するＰＲＢペアとしてマッピングされる（但し、図１では、１つのＰＲＢペアを例示している）。一方、図２に示す分散型では、複数のＰＲＢペアが周波数方向に分散配置される。
【００１６】
ローカライズ型送信方法は、ＰＲＢペアが集中的に配置されることによって、複数アンテナのビームフォーミング（Beam Forming:ＢＦ）ゲイン、或いはマルチユーザダイバーシティの獲得を可能とする。すなわち、ローカライズ型送信方法では、ＵＥからのランク情報（ＲＩ(Rank Indicator)），プリコーディングマトリクス情報（ＰＭＩ（Pre-coding Matrix Indicator）），及びチャネル品質情報（ＣＱＩ(Channel Quality Indicator)）のフィードバックに基づき、基地局が、ＵＥに対するビームフォーミングプリコーダを適用することによってビームフォーミングゲインの有効利用が図られる。また、ローカライズ型送信方法では、ビームフォーミングゲインに加えて、ＣＱＩフィードバックに基づいたＵＥに対する物理リソースのスケジューリングによって、マルチユーザダイバーシティの有効利用が図られる。
【００１７】
一方、分散型送信方法は、ＰＲＢペアの分散配置による周波数ダイバーシティゲインの獲得を可能とする。このため、ローカライズ型送信方法は、クローズドループやビームフォーミング送信方法のリソース配置方法とみることができる。一方、分散型送信方法は、オープンループダイバーシティ送信のためのリソース配置方法とみることができる。
【００１８】
上記したように、ＥＰＤＣＣＨは、物理リソースブロックペア（ＰＲＢペア：Physical Resource Block pair）と呼ばれるリソースの単位で多重される。１つのＰＲＢペアは、拡張制御チャネルエレメント（enhanced Control Channel Element:ＥＣＣＥ）と呼ばれる複数のリソースの単位（分割リソースブロック）に分割される。１つのＰＲＢペアにおける複数のＥＣＣＥのそれぞれに対して、複数の移動端末（ＵＥ：User Equipment）向けのＥＰＤＣＣＨを多重することができる。換言すれば、１ＰＲＢペア中の各ＥＣＣＥを、異なる複数のＵＥに割り当てることができる。ＰＲＢペアは、“リソースブロック”の一例であり、ＥＣＣＥは、“分割リソースブロック”の一例である。
【００１９】
複数のＵＥのそれぞれが、自局に割り当てられたＥＣＣＥ（ＥＣＣＥにマッピングされたデータ）を復調するために、必要に応じてＥＣＣＥ毎に異なるＤＭ−ＲＳが使用される。ＵＥは、ＥＰＤＣＣＨの復調のために、ＡＰを特定し、特定したＡＰに対応するＤＭ−ＲＳを用いて各ＥＣＣＥの復調を試行する。そして、或るＥＣＣＥの復調結果からエラーのないデータが得られた場合に、当該データを自局向けのデータとして扱うことができる。
【００２０】
上記したようなＥＣＣＥ単位で復調処理が行われる場合には、各ＥＣＣＥは、対応するＥＣＣＥを復調するためのＤＭ−ＲＳとともに、特定のＡＰと関連づけられる。このような、ＡＰとＤＭ−ＲＳとの関連、ひいては、ＡＰ，ＤＭ−ＲＳ，及びＥＣＣＥの関連は、“ＡＰアソシエーション”と呼ばれる。
【００２１】
LTE Release 11に係る会議（３ＧＰＰ  ＲＡＮ１会議）において、ＰＤＣＣＨを改良し、ＰＤＣＣＨオーバヘッドを低減するためのＥＰＤＣＣＨの導入が合意され、ＥＰＤＣＣＨに関する設計ガイドラインとして、例えば、以下が採択されている。
【００２２】
（１）ＵＥ特有の適正なビームフォーミング（Beam Forming：ＢＦ）はＥＰＤＣＣＨ毎に使用されるべきである。
（２）１つのＰＲＢペアにおける拡張制御チャネルエレメント（enhanced Control Channel Elements：ＥＣＣＥ）は、効率的に割り当てられるべきである。
（３）ＥＰＤＣＣＨの割当てがＵＥへ知らされないとき、ＥＰＤＣＣＨを復号するための試行数は小さくされるべきである。
（４）様々なアグリゲーションレベル（Aggregation Level：ＡＬ）は、適応リンク制御のためにサポートされるべきである。
【００２３】
上記（２）における“ＥＣＣＥ”は、ＰＲＢペアの分割によって得られる、ＥＰＤＣＣＨを多重するための時間−周波数ドメインにおけるリソースの単位の１つである。１つのＰＲＢペアは、所定数（例えば４）のＥＣＣＥに分割される。
【００２４】
また、上記（４）におけるアグリゲーションレベル（ＡＬ）は、１つのＵＥへＥＰＤＣＣＨを送信するために使用されるＥＣＣＥの数を意味する。例えば、ＵＥが１つのＥＣＣＥを使用するアグリゲーションレベル１（ＡＬ１），ＵＥが２つのＥＣＣＥを使用するアグリゲーションレベル２（ＡＬ２），ＵＥが４つのＥＣＣＥを使用するアグリゲーションレベル４，及びＵＥが８つのＥＣＣＥを使用するアグリゲーションレベル８（ＡＬ８）がある。
【００２５】
上記したように、ＥＰＤＣＣＨの復調には、復調参照信号（DeModulation Reference Signal：ＤＭ-ＲＳ）が使用される。ＵＥは、既知である復調参照信号を用いてチャネル推定及びデータ復調を行うことができる。ＰＲＢペアが複数のＥＣＣＥに分割される場合には、ＥＣＣＥ毎に異なるＤＭ-ＲＳを用いたＥＣＣＥ毎の復調処理を実行することができる。どのＥＣＣＥをどのＤＭ-ＲＳを用いて復調するかは、ＤＭ-ＲＳとアンテナポート（ＡＰ）との関連（対応関係）に基づき決定される。ＡＰは、特定のＤＭ−ＲＳと関連づけられた、ＤＭ−ＲＳを特定するための論理的な概念であり、“復調参照信号の識別子”の一例である。
【００２６】
ＬＴＥ-Ａでは、ＵＥ特有のビームフォーミング送信（ＵＥ個別ＢＦ送信）をサポートするために、相互に直交する関係にある“７”番から“１０”番の４つのＡＰ（ＡＰ＃７，ＡＰ＃８，ＡＰ＃９，ＡＰ＃１０）がＤＭ-ＲＳとの関連づけ（アソシエーション）に使用されることが合意されている。
【００２７】
ＡＰとＤＭ−ＲＳとの関連づけは、基地局（ｅＮｏｄｅ  Ｂ又はＢＳ（Base Station）と呼ばれる）及び移動端末に事前に設定される。ＵＥは、ＡＰとＤＭ−ＲＳとの対応関係、すなわち特定のＤＭ-ＲＳと関連づけられたＡＰ（“ＤＭ-ＲＳ  ＡＰ”と表記することもある）を知ることができれば、ＡＰ番号に対応する特定のＤＭ−ＲＳを認識し、当該ＤＭ-ＲＳを用いて対応するＥＣＣＥを復調することができる。
【００２８】
通常、ＵＥに割り当てられたＥＣＣＥは、ＵＥに知らされない。この場合、ＵＥは、いわゆるブラインド検出によって、所望のＥＣＣＥの復調データを得る。すなわち、ＵＥは、ＰＲＢペアの全てのＥＣＣＥを対象とし、且つ予め用意された全ての種類のＤＭ−ＲＳを用い、良好なチャネル復号結果が得られるまで、復調処理を繰り返す。このようにして、良好なチャネル復号結果が得られた場合のＥＣＣＥが、自局に割り当てられたＥＣＣＥであることが結果として分かる。
【００２９】
これに対し、ＵＥがＤＭ−ＲＳ  ＡＰを知っている場合には、ＵＥは、ＡＰに対応するＤＭ−ＲＳを用いて対応するＥＣＣＥのデータの復調を行い、所望のデータを得ることができる。この場合、ＵＥが自局と無関係のＡＰに関連するＥＣＣＥに対する復調処理を行うことを回避できるので、処理の効率化が図られる。
【００３０】
上述したように、ＬＴＥ−Ａでは、さらなる効率的なリソース利用のために、複数のＵＥがＰＲＢペアに多重される（ＰＲＢペアに複数のＵＥが割り当てられる）ことができる。ＵＥの多重に関して、以下の点で合意がある。すなわち、ＤＭ−ＲＳ  ＡＰの数は、最大４であり、各ＡＰは、ＤＣＩを得るためのＥＰＤＣＣＨの復号に使用することができる。ＰＲＢペアに多重可能なＵＥの数は４である。
【００３１】
ＰＲＢペアにＵＥが多重化される場合、復調処理の効率化のためには、各ＵＥに対し、ＤＭ−ＲＳとＡＰとの対応関係（ＡＰアソシエーション）が通知されるべきである。一方、上位レイヤのシグナリングを抑制するためには、ＡＰアソシエーションは通知されないべきである。これらの相反する要求を踏まえて、３ＧＰＰ  ＲＡＮ１会議では、通常のサイクリックプレフィクス（Cyclic Prefix：ＣＰ）が使用されるローカライズ型送信に関して、明示的シグナリング（明示的通知方法），暗示的シグナリング（暗示的通知方法），及びハイブリッドシグナリング（ハイブリッド通知方法）が提案されている。
【００３２】
通常の（ノーマルな）ＣＰが使用される場合には、１つのＰＲＢペアと関連づけ可能なＡＰとして、４つのＡＰが使用される。これに対し、拡張ＣＰが使用される場合には、１つのＰＲＢペアと関連づけ可能なＡＰとして、２つのＡＰが使用される。
【００３３】
以下、通常ＣＰの場合におけるＤＭ−ＲＳ  ＡＰとＥＣＣＥとの関連づけ（ＡＰアソシエーション）と、拡張ＣＰが使用される場合におけるＡＰアソシエーションについての詳細を説明する。
【００３４】
＜通常ＣＰが使用される場合におけるＡＰアソシエーション＞
（ａ）明示的シグナリング（explicit signaling）
チャネル推定及び復調のために、異なるＵＥに対する上位レイヤによって、ＤＭ−ＲＳ  ＡＰは、ＵＥに対して明示的に示されることができる。図３は、明示的シグナリング（明示的通知方法）におけるＡＰアソシエーションの例を示す。
【００３５】
図３は、アグリゲーションレベルが８の場合（ＡＬ８：１つのＵＥが８つのＥＣＣＥを使用する場合））を例示し、４つのＥＣＣＥ（ＥＣＣＥ＃１〜＃４）に分割された２つのＰＲＢペアが示されている。各ＥＣＣＥ（ＤＭ-ＲＳ）と関連づけ可能なＡＰとして、ＡＰ＃７，ＡＰ＃８，ＡＰ＃９，及びＡＰ＃１０が用意される。
【００３６】
或るＵＥ（ＵＥ＃１）に関して、例えば、各ＥＣＣＥ＃１〜＃４は、ＡＰ＃７に関連づけられる。また、他のＵＥ＃２，ＵＥ＃３，ＵＥ＃４に対して、ＡＰ＃８，ＡＰ＃９，ＡＰ＃１０がそれぞれ関連づけられる。なお、図３では、アグリゲーションレベル（ＡＬ）が８である場合を例示している。このため、ＡＬがＡＬ１であれば、１つのＥＣＣＥ（例えば１つのＰＲＢ中のＥＣＣＥ＃１）がＵＥに割り当てられる。ＡＬがＡＬ２であれば、２つのＥＣＣＥ（例えば１つのＰＲＢ中のＥＣＣＥ＃１及び＃２）がＵＥに割り当てられる。ＡＬがＡＬ４であれば、４つのＥＣＣＥ（例えば１つのＰＲＢ中のＥＣＣＥ＃１及び＃２，＃３及び＃４）がＵＥに割り当てられる。
【００３７】
このような対応関係（ＡＰアソシエーション）が各ＵＥ＃１〜ＵＥ＃４に明示的に通知される。これによって、ＵＥ＃１は、ＡＰ＃７に対応するＤＭ−ＲＳを用いて、各ＰＲＢペアの各ＥＣＣＥを復調することができる。
【００３８】
このように、明示的シグナリングでは、各ＵＥに異なるＡＰが割り当てられ、割り当てられたＤＭ−ＲＳ  ＡＰが各ＵＥに通知される。このため、ＤＭ−ＲＳ  ＡＰに対応するＤＭ−ＲＳを用いた１回の復調処理によって、所望の復調データを得ることができる。従って、完全なブラインド検出に比べて復調処理の効率化が図られる。
【００３９】
但し、明示的シグナリングでは、ＵＥにＤＭ−ＲＳ  ＡＰを明示的に通知する（ＤＭ−ＲＳ  ＡＰをＵＥに指示する）ための上位レイヤによるシグナリングが行われる。このため、ＡＰ指示によってＵＥに送信する情報量が増える。また、ＡＰ指示は制御チャネルを通じて送信されるため、ＡＰ指示、すなわちＡＰアソシエーションが誤りでないことを確認するためにさらなるコストが発生する。また、二つのＵＥに対して同一のＡＰが設定される場合には、当該二つのＵＥは、同一のプリコーダを使用する。
【００４０】
（ｂ）暗示的シグナリング（implicit signaling）
図４は、暗示的シグナリングの例を示す。暗示的シグナリングでは、ＤＭ−ＲＳ  ＡＰに対応する異なるアグリゲーションレベル（ＡＬ１，ＡＬ２，ＡＬ４，ＡＬ８）のＥＣＣＥは、暗示的に示される。例えば、ＡＬ１において、１つのＰＲＢペアをなすＥＣＣＥ＃１〜ＥＣＣＥ＃４（ＤＭ−ＲＳ）は、異なるＡＰと関連づけられる。
【００４１】
図４の例では、ＥＣＣＥ＃１は、ＡＰ＃７と関連づけられ、ＥＣＣＥ＃２は、ＡＰ＃８と関連づけられ、ＥＣＣＥ＃３は、ＡＰ＃９と関連づけられ、ＥＣＣＥ＃４は、ＡＰ＃１０と関連づけられている。また、ＡＬ２の例では、ＥＣＣＥ＃１及びＥＣＣＥ＃２は、ＡＰ＃７と関連づけられ、ＥＣＣＥ＃３及びＥＣＣＥ＃４は、ＡＰ＃８と関連づけられている。ＡＬ４及びＡＬ８では、ＥＣＣＥ＃１〜ＥＣＣＥ＃４は、ＡＰ＃７に関連づけられている。
【００４２】
暗示的シグナリングでは、具体的なＤＭ−ＲＳ  ＡＰ（ＡＰ指示）がＵＥに通知されない。但し、ＵＥにおいて、図２に例示されるような各ＥＣＣＥと各ＡＰとの対応関係、すなわち、ＡＬに応じた数のＥＣＣＥが特定のＡＰと対応することは既知である。例えば、ＡＬ２の場合、連続する二つのＥＣＣＥが１つのＡＰに対応することが既知である。従って、例えば、ＡＬ２の場合に、ＵＥは、ＥＣＣＥ＃１及び＃２に対する復調処理を、ＡＰ＃７，ＡＰ＃８・・・の順で実行する場合、ＡＰ＃７を用いた復調処理の時点で所望の復調データを得ることができる。
【００４３】
暗示的シグナリングでは、ＤＭ−ＲＳ  ＡＰが基地局から通知されないので、ＵＥに通知する情報量が明示的シグナリングの情報量より減少する。また、所望の復調データを得るための復調処理の回数を完全なブラインド検出よりも少なくすることができる。
【００４４】
但し、暗示的シグナリングでは、明示的シグナリングに比べて復調処理が複雑化する場合がある。すなわち、ＡＬ１の場合において、ＵＥは、自局に割り当てられたＥＣＣＥを知らないため、所望の復調データを得るために、ＡＰ＃７〜ＡＰ＃１０に関して、最大４回の復調処理を行う場合がある。ＡＬ４の場合も同様である。また、ＡＬ８の復調処理に当たって、連続するＰＲＢペアの連結的なチャネル推定のサポートが要求される。さらに、暗示的シグナリングでは、異なるＵＥには異なるＡＰが割り当てられるため、複数のＵＥでＥＣＣＥを共有するマルチユーザＭＩＭＯ（ＭＵ−ＭＩＭＯ：Multiple User-MIMO）をサポートすることができない。
【００４５】
(ｃ)ハイブリッドシグナリング
ハイブリッドシグナリング、すなわち、ハイブリッドアソシエーション方法は、“部分的暗示アソシエーション方法”とも呼ばれる。図５は、ハイブリッドシグナリングの説明図である。図５において、左側にＡＬ１の例が、中央にＡＬ２の例が、右側にＡＬ４の例が示されている。
【００４６】
ハイブリッドシグナリングでは、ＤＭ−ＲＳ  ＡＰは、｛ＡＰ７，ＡＰ９｝及び｛ＡＰ８，ＡＰ１０｝のような二つのＡＰセットに分割される。また、ハイブリッドシグナリングでは、ＵＥに対し、復調に用いるＡＰセットのインデックス（ＡＰセット情報）が通知される。さらに、ＰＲＢペアの各ＥＣＣＥは、或るＡＰセット内の特定のＡＰと関連づけられる。
【００４７】
図５では、例えば、ＡＬ１，ＡＬ２において、ＡＰセット１（ＳＥＴ１）のＥＣＣＥ＃１及び＃２は、ＡＰ＃７と関連づけられ、ＡＰセット１（ＳＥＴ１）のＥＣＣＥ＃３及び＃４は、ＡＰ＃９と関連づけられている。ＡＰセット２（ＳＥＴ２）のＥＣＣＥ＃１及び＃２は、ＡＰ＃８と関連づけられ、ＡＰセット２（ＳＥＴ２）のＥＣＣＥ＃３及び＃４は、ＡＰ＃１０と関連づけられている。また、ＡＬ４においては、ＡＰセット１（ＳＥＴ１）のＥＣＣＥ＃１〜＃４は、ＡＰ＃７と関連づけられ、ＡＰセット２（ＳＥＴ  ２）のＥＣＣＥ＃１〜＃４は、ＡＰ＃８と関連づけられている。
【００４８】
ハイブリッドシグナリングでは、ＵＥは、ＡＰセット情報（例えば“ＳＥＴ１”）が通知されることで、復調用のＡＰ（ＤＭ−ＲＳ  ＡＰ）がＡＰ＃７又はＡＰ＃９であることを知ることができる。このため、復調用のＡＰ（ＤＭ−ＲＳ  ＡＰ候補）の数が減る。例えば、ＡＬ１では、ＡＰ＃７を用いたＥＣＣＥ＃１及び＃２の復調処理と、ＡＰ＃９を用いたＥＣＣＥ＃３及び＃４の復調処理とを実行することによって、ＥＣＣＥ＃１〜＃４のいずれかから所望の復調データを得ることができる。
【００４９】
＜拡張ＣＰが適用される場合のＡＰアソシエーション＞
拡張ＣＰが適用される場合には、１つのＰＲＢペアに対して二つのＡＰのみが利用可能とされる。図６は、拡張ＣＰ適用ケースの例を示す。図６に示すように、ＡＬ１，ＡＬ２，ＡＬ４及びＡＬ８のそれぞれに対して、二つのＡＰが利用可能に設定される。図６の例では、ＡＰ＃７及びＡＰ＃９が利用可能に設定されている。このため、ＡＬ１において、複数のＵＥがＰＲＢペア上で多重される場合に、ＡＰが不足する場合が起こり得る。
【００５０】
＜問題点＞
上述したハイブリッドシグナリング（図５参照）や、拡張ＣＰ適用ケース（図６参照）では、二つの連続するＥＣＣＥは同一のＡＰと関連づけられる。例えば、図５及び図６において、ＥＣＣＥ＃１及び＃２は、ＡＰ＃７に関連づけられている。このため、以下に説明する問題が起こる。
【００５１】
図７は、問題点の説明図である。例えば、ハイブリッドシグナリング方法において、図７に示すような、ＡＰセット１，ＡＰセット２における、ＥＣＣＥ＃１〜＃４とＡＰ＃７〜ＡＰ＃１０との対応関係が設定されている。
【００５２】
そして、二つのＵＥ（ＵＥ＃１及びＵＥ＃２）によるＭＵ−ＭＩＭＯにより、ＵＥ＃１は、ＡＰ＃７を用いてＥＣＣＥ＃１から復調データを取得し、ＵＥ＃２は、ＡＰ＃８を用いてＥＣＣＥ＃１から復調データを得る場合を仮定する。この場合、ＡＰ＃８は、ＵＥ＃２に割り当てられているため、他のＵＥ（例えば、ＵＥ＃３及びＵＥ＃４）に対しては、異なるＡＰ＃９，ＡＰ＃１０が割り当てられる。ＵＥ＃３及びＵＥ＃４に対し、それぞれＥＣＣＥ＃３、ＥＣＣＥ＃４が割り当てられる。これによって、図７に示すように、ＵＥ＃３、ＵＥ＃４のそれぞれは、ＡＬ１において、ＡＰ＃９、ＡＰ＃１０を用いて所望の復調データを得ることができる。
【００５３】
しかし、ＥＣＣＥ＃２のリソースは、ＵＥ＃１〜ＵＥ＃４のいずれにも利用されない状態となる。また、ＡＰに空きがない（ＰＲＢペアに多重可能なＵＥ数の上限である）ため、他のＵＥにＥＣＣＥ＃２を割り当てることもできない。このような状況は、“ＡＰブロッキング”と呼ばれる。ＡＰブロッキングの発生によってＥＣＣＥ、すなわちリソースの利用効率が低下する。
【００５４】
＜実施形態に係るＡＰアソシエーション方法＞
以下、実施形態に係るＡＰアソシエーション方法として、リソースの利用効率を向上可能なＥＣＣＥとＤＭ−ＲＳ  ＡＰとの関連を決定する方法について説明する。図８は、実施形態に係るＡＰアソシエーション方法の説明図である。
【００５５】
図８に示す例では、ハイブリッドシグナリング方法と同様に、二つのＡＰセット（ＡＰセット１，ＡＰセット２）が用意されている。ＡＰセット１は、“第１セット”の一例であり、ＡＰセット２は、“第２セット”の一例である。
【００５６】
各ＡＰセットは、１つのＰＲＢペアと関連づけられる。但し、本実施形態の方法では、ＡＬ１に関して、１つのＰＲＢペアにおいて、二つの連続するＥＣＣＥが常に異なるＡＰ（ＤＭ−ＲＳ  ＡＰ）と関連づけられる。
【００５７】
図８に示すように、例えば、ＡＬ１に係るＡＰセット１（ＳＥＴ１）では、ＥＣＣＥ＃１は、ＤＭ−ＲＳ  ＡＰとしてのＡＰ＃７と関連づけられ、ＥＣＣＥ＃２は、ＤＭ−ＲＳ  ＡＰとしてのＡＰ＃９と関連づけられる。ＥＣＣＥ＃３は、ＤＭ−ＲＳ  ＡＰとしてのＡＰ＃７と関連づけられ、ＥＣＣＥ＃４は、ＤＭ−ＲＳ  ＡＰとしてのＡＰ＃９と関連づけられる。ＡＰセット２においても、同様の関連づけが行われる。なお、実施形態の方法は、ＡＬ２及びＡＬ４に関しては、ハイブリッドシグナリングと同様の関連づけ方法が適用される。
【００５８】
また、本実施形態の方法では、或るＰＲＢペアに多重化される複数のＵＥのそれぞれに対し、ＡＰセットのインデックス（ＡＰセット情報）が明示的に通知される。従って、ＵＥは、ＡＰ＃７〜ＡＰ＃１０の４つのＡＰのうち、復調のために使用するＤＭ−ＲＳ  ＡＰの数を減らすことができる。さらに、図８に示すようなＥＣＣＥとＤＭ−ＲＳ  ＡＰとの対応関係は、ＵＥにおいて既知とされる。本実施形態の方法では、ＤＭ−ＲＳ  ＡＰの代わりにＡＰセットのインデックスが通知される。現行の仕様では、ＤＭ−ＲＳ  ＡＰの通知に要するシグナリングビット数より、ＡＰセットインデックスのシグナリングビット数が少ない。このため、本実施形態によれば、明示的シグナリングよりもＵＥに通知する情報量を抑えることができる。
【００５９】
図９は、本実施形態に係るＡＰアソシエーション方法の作用効果を例示する図である。図９に示すように、ＡＬ１では、ＡＰセット１及びＡＰセット２に関して、図８に示したようなＥＣＣＥとＤＭ−ＲＳ  ＡＰとの関連づけが行われる。
【００６０】
そして、図７に示したケースと同様に、ＡＰ＃７にＵＥ＃１が割り当てられ、ＡＰ＃８にＵＥ＃２が割り当てられ、ＡＰ＃９にＵＥ＃３が割り当てられ、ＡＰ＃１０にＵＥ＃４が割り当てられたケースを想定する。このケースにおいて、二つのＵＥ＃１とＵＥ＃２とは、図７のケースと同様に、ＭＵ−ＭＩＭＯにおいて、それぞれＡＰ＃７、ＡＰ＃８を用いてＥＣＣＥ＃１を復調することができる。また、ＵＥ＃３は、ＡＰ＃９を用いてＥＣＣＥ＃２を復調することができる（ＡＬ１）。また、ＵＥ＃４は、ＡＰ＃１０を用いてＥＣＣＥ＃３及びＥＣＣＥ＃４を復調することができる（ＡＬ２）。
【００６１】
このように、本実施形態の方法では、明示的シグナリングよりもＵＥへ通知する情報量を抑えることができる。また、暗示的シグナリングと異なり、ＭＵ−ＭＩＭＯをサポートすることができる。さらに、図７のケース（ハイブリッドシグナリング）と異なり、ＥＣＣＥ＃２を利用できなくなることが回避される。すなわち、ＥＣＣＥ（ＥＰＤＣＣＨ）のリソースの利用効率を向上させることができる。
【００６２】
＜基地局、移動端末（ＵＥ）の構成＞
次に、上述した本実施形態の方法を実現するための基地局及び移動端末の構成について説明する。図１０は、実施形態に係る方法を使用する基地局の構成例を示す図である。
【００６３】
＜＜基地局の構成例＞＞
図１０には、例として、無線アクセス方式に直交周波数分割多重アクセス（Orthogonal Frequency Division Multiple Access：OFDMA）方式が適用された無線通信システム（移動通信システム）における基地局の構成が示されている。
【００６４】
図１０において、基地局１は、受信アンテナ２１と、ＲＦ（Radio Frequency）プロセッサ（RF processor：ＲＦ送受信回路）２２と、ベースバンドプロセッサ（Baseband processor）２３と、送信アンテナ２４とを備えている。ベースバンドプロセッサ２３は、制御装置の一例である。ＲＦプロセッサ２２は、送受信回路又は送受信装置の一例である。
【００６５】
ＲＦプロセッサ２２は、無線（ＲＦ）信号に係る処理を司る。ＲＦプロセッサ２２は、受信アンテナ２１に接続されたＲＦ受信回路（受信機: RF Receiver）２５と、送信アンテナ２４に接続されたＲＦ送信回路（送信機：RF Transmitter）２６とを含んでいる。
【００６６】
ＲＦ受信回路２５は、例えば、受信アンテナ２１で受信された無線信号を増幅する増幅器（例えば、ローノイズアンプ），増幅器で増幅された信号の周波数を低下させるダウンコンバータ，ダウンコンバータから出力される信号（アナログ信号）をベースバンド信号（ディジタル信号）に復調する直交復調器などを含む。ＲＦ受信回路２５は、受信アンテナ２１で受信される、移動端末２からの無線信号（アップリンク（ＵＬ）信号）の増幅、ダウンコンバート、直交復調等の処理を行い、得られたベースバンド信号をベースバンドプロセッサ２３に入力する。
【００６７】
ＲＦ送信回路２６は、例えば、ベースバンドプロセッサ２３から入力されるベースバンド信号をアナログ信号に変調する直交変調器，アナログ信号の周波数を無線周波数の信号（無線信号）に変換するアップコンバータ，無線信号を増幅する増幅器（例えばパワーアンプ）を含む。ＲＦ送信回路２６は、ベースバンドプロセッサ２３から入力されるベースバンド信号に対する直交変調，アップコンバート，及び増幅を行い、得られた無線信号を送信アンテナ２４からダウンリンク（ＤＬ）信号として移動端末２へ送信する。
【００６８】
ベースバンドプロセッサ２３は、例えば、ＤＳＰ（Digital Signal Processor）やＣＰＵ(Central Processing Unit)のような汎用プロセッサ、又は専用プロセッサの適用によって実現される。ベースバンドプロセッサ２３としてのプロセッサは、図示しない記憶装置（補助記憶装置）に記憶されたプログラムを主記憶装置（メインメモリ）にロードして実行する。
【００６９】
これによって、ベースバンドプロセッサ２３は、以下のような処理、あるいは機能を実現する。すなわち、ベースバンドプロセッサ２３は、サイクリックプレフィックス除去処理（Cyclic Prefix (CP) removal）２８，及び高速フーリエ変換（FFT）２９を行うとともに、物理チャネルを分離する物理チャネル分離部（Physical Channel Separator）３０として機能する。
【００７０】
また、ベースバンドプロセッサ２３は、物理チャネル分離部３０で分離されたユーザデータチャネルの信号（データ信号）に対するデータ信号復調部（Data Signal Demodulator）３１，及びデータ信号の復調処理によって得られたユーザチャネルデータの復号を行うチャネルデコーダ３４として機能する。また、ベースバンドプロセッサ２３は、物理チャネル分離部３０で分離された制御チャネルの信号（制御信号）に対する制御信号復調部（Control Signal Demodulator）３２，及び制御信号の復調処理によって得られた制御チャネルデータの復号を行うチャネルデコーダ３５として機能する。制御チャネルデータの復号結果として、ＵＥに係るＲＩ，ＰＭＩ，ＣＱＩ等のフィードバック情報を得ることができる。
【００７１】
さらに、ベースバンドプロセッサ２３は、物理チャネル分離部３０で分離されたパイロット信号に基づくチャネル推定処理（Channel Estimation）３３を行う。チャネル推定処理３３によって得られたデータチャネルのチャネル推定値は、データ信号復調部３１でのデータ復調に使用される。また、チャネル推定処理３３によって得られる制御チャネルのチャネル推定値は、制御信号復調部３２での制御データの復調に使用される。また、チャネル推定処理３３の結果は、必要に応じてチャネルデコーダ３４，３５での復号処理に使用される。
【００７２】
また、ベースバンドプロセッサ２３は、ＣＣＥスケジューラ３６と、ＡＰ決定部（AP determination）３７と、アソシエーションテーブル３８と、ＡＰセット決定部３９とを備えている。また、ベースバンドプロセッサ２３は、ＥＰＤＣＣＨ生成部（ＥＰＤＣＣＨ generator）４３と、ＤＭ−ＲＳ生成部（DM-RS generator）４４と、ＰＤＳＣＨ生成部（PDSCH generator）４５とを備えている。アソシエーションテーブル３８は、記憶部の一例である記憶装置（メモリ）上に記憶される。
【００７３】
ＣＣＥスケジューラ３６は、チャネルデコーダ３５から、基地局１に接続された１以上のＵＥのそれぞれに関するダウンリンク（ＤＬ）のチャネル品質情報を得る。チャネルデコーダ３５によって復号される制御データは、各ＵＥのＤＬに係るチャネル品質情報（ＣＱＩフィードバック）を含んでいる。ＣＣＥスケジューラ３６は、チャネル品質情報に基づいて、各ＵＥに対するアグリゲーションレベル（ＡＬ）を決定する。また、ＣＣＥスケジューラ３６は、各ＵＥのＡＬに応じたＥＣＣＥ（ＥＣＣＥのインデックス）を決定する。ＣＣＥスケジューラ３６は、ＭＵ−ＭＩＭＯによって複数のＵＥへ情報を送信する場合には、所定のＭＵ−ＭＩＭＯ情報に基づいて、複数のＵＥが共有すべきＥＣＣＥを決定する。
【００７４】
例えば、基地局１は、図９に関して説明したＵＥ＃１〜ＵＥ＃４と接続されている場合を仮定する。さらに、ＵＥ＃１及びＵＥ＃２がＡＬ１のＭＵ−ＭＩＭＯを利用してＤＬデータを受信し、ＵＥ＃３のＡＬがＡＬ１であり、ＵＥ＃４のＡＬがＡＬ２である場合を仮定する。
【００７５】
この場合、ＣＣＥスケジューラ３６は、ＵＥ＃１及びＵＥ＃２で共用されるＥＣＣＥとして、ＥＣＣＥ＃１を決定する。また、ＣＣＥスケジューラ３６は、ＵＥ＃３に割り当てるＥＣＣＥとして、ＥＣＣＥ＃２を決定する。さらに、ＵＥ＃４に割り当てるＥＣＣＥとして、ＥＣＣＥ＃３及びＥＣＣＥ＃４を決定する。
【００７６】
従って、ＣＣＥスケジューラ３６によって出力されるＡＰ情報及びＥＣＣＥインデックスは、“ＵＥ＃１：ＡＬ１，ＥＣＣＥ＃１”，“ＵＥ＃２：ＡＬ１，ＥＣＣＥ＃１”，“ＵＥ＃３：ＡＬ１，ＥＣＣＥ＃２”，“ＵＥ＃４：ＡＬ２，ＥＣＣＥ＃３及びＥＣＣＥ＃４”となる。ＣＣＥスケジューラ３６は、ＡＰ情報及びＥＣＣＥインデックスをＥＰＤＣＣＨ生成部４３に供給する。
【００７７】
ＡＰ決定部３７は、ＣＣＥスケジューラ３６からＡＬ情報及びＥＣＣＥインデックスを受け取る。ＡＰ決定部３７は、ＡＬ情報，ＥＣＣＥインデックス，及びＡＰアソシエーション情報に基づいて各ＵＥのＤＭ−ＲＳ  ＡＰを決定する。
【００７８】
ＡＰ決定部３７は、ＡＰアソシエーション情報を得るために、アソシエーションテーブル３８を参照する。図１１は、アソシエーションテーブル３８のデータ構造例を示す。アソシエーションテーブル３８は、図８に示したようなＡＬ毎のＥＣＣＥとＡＰとの対応関係を示す情報を記憶している。
【００７９】
ＡＰ決定部３７は、アソシエーションテーブル３８の参照によって、ＵＥ＃１に関して、ＥＣＣＥ＃１に対応するＤＭ−ＲＳ  ＡＰとして、ＡＰ＃７を決定する。また、ＡＰ決定部３７は、ＵＥ＃２に関して、ＥＣＣＥ＃１に対応するＤＭ−ＲＳ  ＡＰとして、ＡＰ＃８を決定する。また、ＡＰ決定部３７は、ＵＥ＃３に関して、ＥＣＣＥ＃２に対応するＤＭ−ＲＳ  ＡＰとして、ＡＰ＃９を決定する。そして、ＡＰ決定部３７は、ＵＥ＃４に関して、ＥＣＣＥ＃３及びＥＣＣＥ＃４に対応するＤＭ−ＲＳ  ＡＰとして、ＡＰ＃１０を決定する。そして、ＡＰ決定部３７は、ＤＭ−ＲＳ  ＡＰの決定結果情報をＡＰセット生成部３９及びＤＭ−ＲＳ生成部４４に供給する。
【００８０】
ＡＰセット生成部３９は、ＡＰ決定部３７から、ＤＭ−ＲＳ  ＡＰの決定結果情報を受け取る。ＡＰセット生成部３９は、アソシエーションテーブル３８を参照することによって、各ＵＥ＃１〜ＵＥ＃４に通知するＡＰセットのインデックス（ＡＰセット情報）を決定する。具体的には、ＵＥ＃１及びＵＥ＃４に関するＡＰセット情報として、“ＡＰセット１（ＳＥＴ１）”が決定される。また、ＵＥ＃２及びＵＥ＃３に関するＡＰセット情報として、“ＡＰセット２（ＳＥＴ２）”が決定される。なお、ＡＰセット情報は、各ＵＥが自局用のＡＰセットを認識可能な所定形式で送信される。
【００８１】
ＤＣＩ生成部４０は、制御チャネルに係るデータ復調及びチャネル復号によって得られた制御データなどに基づいて各ＵＥ＃１〜ＵＥ＃４に対するＤＣＩ（ダウンリンク制御情報）を生成し、ＥＰＤＣＣＨ生成部４３に供給する。ＤＣＩは、例えば、ＭＵ−ＭＩＭＯに係る情報を含むことができる。
【００８２】
ＥＰＤＣＣＨ生成部４３は、ＣＣＥスケジューラ３６から供給されるＡＬ情報及びＥＣＣＥインデックスに基づくＤＣＩのチャネル符号化及びデータ変調を行う。これによって、ＥＰＤＣＣＨシンボルが生成される。
【００８３】
ＤＭ−ＲＳ生成部４４は、ＡＰ決定部４４から供給されるＤＭ−ＲＳ  ＡＰ情報に基づいて各ＡＰに対応するＤＭ−ＲＳシンボルを生成する。ＰＤＳＣＨ生成部４５は、ＡＰセット情報を含む上位レイヤシグナリングのデータや、ユーザデータのようなＰＤＳＣＨにマッピングされるデータのチャネル符号化及びデータ変調を行う。これによって、ＰＤＳＣＨ信号（ＰＤＳＣＨシンボル）が生成される。
【００８４】
ベースバンドプロセッサ２３は、ＥＰＤＣＣＨシンボル，ＤＭ−ＲＳシンボル，ＰＤＳＣＨシンボル，及び図示しないＰＤＣＣＨシンボルの多重処理を行う（マルチプレクサとして機能する）。当該多重処理によって、各シンボルが図１に示したような所定の領域にマッピングされた状態となる。このとき、ＡＰセット１及びＡＰセット２に係る二つのＰＲＢペアが多重される。また、ＤＭ−ＲＳシンボルは、ＰＤＳＣＨあるいはＥＰＤＣＣＨがマッピングされたＰＲＢ上に周波数多重される。
【００８５】
そして、ベースバンドプロセッサ２３は、多重処理の結果に対する逆高速フーリエ変換処理（ＩＦＦＴ）４１を行う。さらに、ベースバンドプロセッサ２３は、ＩＦＦＴ４１によって得られた信号にＣＰを付与するＣＰ付加処理（CP Adding）４２を行う。ＣＰ付加処理４２を経た信号は、ＲＦ送信回路２６で無線信号に変換され、送信アンテナ２４から送信される。
【００８６】
このようにして、基地局１からは、ＵＥ＃１〜ＵＥ＃４に係るユーザチャネル情報、制御チャネル情報（ＥＰＤＣＣＨ），ＡＰセット，及び各ＡＰに対応するＤＭ−ＲＳを含んだフレームが各ＵＥ＃１〜ＵＥ＃４へ送信される。
【００８７】
上述した基地局１の構成は例示であり、例えば、ＲＦプロセッサ２２及びベースバンドプロセッサ２３によって実現される処理及び機能（図５に示した各ブロック）は、ＩＣ(Integrated Circuit), ＬＳＩ(Large Scale Integrated circuit), ＡＳＩＣ(Application Specific Integrated Circuit)のような集積回路の少なくとも１つ、又はこれらの集積回路の２以上の組み合わせによって実現することができる。例えば、ＤＳＰによって実現されるデータ信号復調部３１は、ＬＳＩやＡＳＩＣを用いたワイヤードロジックによって実現することができる。
【００８８】
また、ＲＦプロセッサ２２、ベースバンドプロセッサ２３によって実現される処理及び機能は、ＦＰＧＡ（Field Programmable Gate Array）のようなプログラマブルロジックデバイス（ＰＬＤ）、あるいは、集積回路とＰＬＤの組み合わせによって実現することもできる。
【００８９】
＜＜移動端末（ＵＥ）の構成例＞＞
図１２は、実施形態に適用される移動端末（ＵＥ）の構成例を示す図であり、これまでに説明したＵＥ＃１〜ＵＥ＃４が有する構成例を示す。図１２には、例として、ダウンリンクにＯＦＤＭＡ方式が適用された移動通信システムにおけるＵＥの構成例が示されている。
【００９０】
図１２において、移動端末２は、受信アンテナ５１に接続されたＲＦ受信回路（RF Receiver）５２と、送信アンテナ５３に接続されたＲＦ送信回路（RF Transmitter）５４とを含むＲＦプロセッサ（ＲＦ送受信回路）５５と、ベースバンドプロセッサ５６とを備える。ベースバンドプロセッサ５６は、制御装置の一例である。ＲＦプロセッサ５５は、通信装置の一例である。
【００９１】
ＲＦプロセッサ５５が行う処理及び機能は、図１０に示したＲＦプロセッサ２６が行う処理及び機能と同様であるので、説明を省略する。ベースバンドプロセッサ５６は、ベースバンドプロセッサ２３（図１０）と同様に、ＤＳＰやＣＰＵのような汎用のプロセッサ、又は専用のプロセッサによって実現される。ベースバンドプロセッサ５６は、図示しない補助記憶装置に記憶されたプログラムを主記憶装置にロードして実行することによって、以下のような処理の実行、及び機能の実現を行う。
【００９２】
すなわち、ベースバンドプロセッサ５６は、パイロット信号（参照信号：Reference Signal:例えばＳＲＳ）を生成する参照信号生成処理（Ref. Signal）６０を行う。また、ベースバンドプロセッサ５６は、データチャネルトラフィックに係る処理（Data Traffic）６１と、データチャネルのエンコード処理（Channel Encode）６２とを行う。これによって、ユーザデータ（例えば、端末間協調送信のための共通メッセージ）がユーザチャネルで伝送される状態となる。
【００９３】
また、ベースバンドプロセッサ５６は、制御チャネルトラフィックに係る処理６３（Control Traffic）と、制御チャネルのエンコード処理（Channel Encode）６４とを行う。これによって、ＲＩ，ＰＭＩ，ＣＱＩのような制御情報が制御チャネルで伝送される状態となる。
【００９４】
また、ベースバンドプロセッサ５６は、物理チャネルマルチプレクサ（Physical Channel Multiplexer）６５として機能し、データチャネル，制御チャネル，パイロットチャネルの多重化を行う。多重化された信号に対して、ＩＦＦＴ処理（IFFT）６６，ＣＰ付加処理（CP Adding）６７が実行される。ＣＰ付加処理６７を経た信号は、ＲＦ送信回路５４に入力され、アップリンクの無線信号に変換されて送信アンテナ５３から送信される。
【００９５】
一方、ベースバンドプロセッサ５６には、ＲＦ受信回路５２から、受信アンテナ５１で受信された無線信号がＲＦ受信回路５２によって変換されたベースバンド信号が入力される。ベースバンドプロセッサ５６は、ベースバンド信号からＣＰを除去するＣＰ除去処理７１を行う。
【００９６】
ベースバンドプロセッサ５６は、ＡＰセット決定部７２と、ＡＰ決定部７３として機能する。ＡＰセット決定部７２は、ベースバンド信号中のＰＤＳＣＨに対するチャネル推定、データ復調及びチャネル復号を実行する。これによって、ＰＤＳＣＨにマッピングされたＡＰセット情報を含む上位レイヤ情報が得られる。
【００９７】
ＡＰ決定部７４は、ＡＰセット情報に基づいて、ＤＭ−ＲＳ  ＡＰ候補を決定する。ＤＭ−ＲＳ  ＡＰ候補の決定に当たって、ＡＰ決定部７４は、アソシエーションテーブル７４を参照する。アソシエーションテーブル７４は、図１１に示したような、基地局１が有するＡＰアソシエーション情報と同一のＡＰアソシエーション情報を記憶している。アソシエーションテーブル７４は、記憶部の一例である記憶装置（メモリ）上に記憶される。
【００９８】
ＡＰ決定部７３は、ＡＰセット情報が“ＳＥＴ１”を示す場合には、ＤＭ−ＲＳ  ＡＰ候補がＡＰ＃７及びＡＰ＃９であることを認識する。これに対し、ＡＰセット情報が“ＳＥＴ２”を示す場合には、ＡＰ決定部７３は、ＤＭ−ＲＳ  ＡＰ候補がＡＰ＃８及びＡＰ＃１０であることを認識する。
【００９９】
ＡＰ決定部７３は、ＡＰセット情報に基づいて、ＡＬ候補及びＥＣＣＥ候補を決定することができる。例えば、ＡＰセット情報が“ＳＥＴ１”の場合において、ＡＬがＡＬ１であれば、ＥＣＣＥ＃１又はＥＣＣＥ＃３がＥＣＣＥ候補として決定される。ＡＬがＡＬ２であれば、ＥＣＣＥ＃１及びＥＣＣＥ＃２、又はＥＣＣＥ＃３及びＥＣＣＥ＃４がＥＣＣＥ候補として決定される。ＡＬがＡＬ４であれば、ＥＣＣＥ＃１〜ＥＣＣＥ＃４がＥＣＣＥ候補として決定される。
【０１００】
ベースバンドプロセッサ５６は、さらに、ブラインドデコーダ７５として機能する。フラインドデコーダ７５は、ＤＭ−ＲＳ  ＡＰ毎のチャネル推定及びデータ復調を実行し、チャネル復号をＡＬ及びＥＣＣＥ毎に実行する。
【０１０１】
例えば、ＡＬセット情報が“ＳＥＴ１”であれば、ブラインドデコーダ７５は、ＡＰ＃７に対応するＤＭ−ＲＳを用いたチャネル推定及びデータ復調を行い、且つＡＰ＃７に対応するＥＣＣＥのチャネル復号を行う。このようなチャネル復号の結果にエラーが検出されなければ、当該チャネル復号の結果は、移動端末（ＵＥ）２に向けられたＤＣＩである。これに対し、チャネル復号結果にエラーが検出された場合には、ＡＰ＃９に対応するＤＭ−ＲＳを用いたチャネル推定及びデータ復調を行い、且つＡＰ＃９に対応するＥＣＣＥのチャネル復号を行う。
【０１０２】
このようにして、移動端末２は、図８に示したＡＰアソシエーションを用いたＤＭ−ＲＳを用いたチャネル推定及びデータ復調、並びにチャネル復号を実行することによって、所望の制御データ（ＤＣＩ）を得ることができる。
【０１０３】
ベースバンドプロセッサ５６は、ブラインドデコーダ７５によって得られたＤＣＩ（制御データ）などに基づくスケジューリングを行うスケジューラ７６として機能する。スケジューラ７６のスケジューリング結果は、データトラフィック処理６１や制御トラフィック処理に反映される。
【０１０４】
以上のように、本実施形態によれば、ハイブリッドシグナリング方法において生じていた、ＡＬ１におけるＡＰブロッキングを回避することができる。これによって、ＥＣＣＥの利用効率の向上を図ることができる。
【符号の説明】
【０１０５】
１・・・基地局
２・・・移動端末（ＵＥ）
２３，５６・・・ベースバンドプロセッサ
３６・・・ＣＣＥスケジューラ
３７，７３・・・ＡＰ決定部
３８，７４・・・アソシエーションテーブル
３９，７２・・・ＡＰセット決定部
４３・・・ＥＰＤＣＣＨ生成部
４４・・・ＤＭ−ＲＳ生成部
４５・・・ＰＤＳＣＨ生成部
７５・・・ブラインドデコーダ
【図１】
0005900661.tif 000002
【図２】
0005900661.tif 000003
【図３】
0005900661.tif 000004
【図４】
0005900661.tif 000005
【図５】
0005900661.tif 000006
【図６】
0005900661.tif 000007
【図７】
0005900661.tif 000008
【図８】
0005900661.tif 000009
【図９】
0005900661.tif 000010
【図１０】
0005900661.tif 000011
【図１１】
0005900661.tif 000012
【図１２】
0005900661.tif 000013